(57)【要約】【課題】バンドパスフィルタの中心周波数の調整を不要とすることで、煩雑な調整工程を省略することができる受信素子を提供する。【解決手段】受信素子３は、受信信号の搬送波近傍の周波数帯域を通過させる中心周波数を有し、前記中心周波数が調整可能なバンドパスフィルタ（ＢＰＦ）部３ｂと、ＢＰＦ部３ｂからの出力信号を復調する復調回路部３ｃと、受信信号が入力され、中心周波数が遮断周波数に設定されたハイパスフィルタ（ＨＰＦ）部３ｄｕおよびローパスフィルタ（ＬＰＦ）部３ｄｗと、ＨＰＦ部３ｄｕおよびＬＰＦ部３ｄｗのそれぞれの出力信号の電圧レベルを比較する比較回路部３ｄｙと、比較回路部３ｄｙで比較した結果、ＨＰＦ部３ｄｕからの出力信号の電圧レベルが高ければ中心周波数を上昇させ、ＬＰＦ部３ｄｗからの出力信号の電圧レベルが高ければ中心周波数を低減させるようＢＰＦ部３ｂを調整するバイアス回路部３ｄｚとを備えている。【選択図】図１
2009278398.tif 000002
【特許請求の範囲】
【請求項１】
変調された受信信号を復調する集積化された受信素子であって、
前記受信信号の搬送波近傍の周波数帯域を通過させる中心周波数を有し、前記中心周波数が調整可能なバンドパスフィルタ部と、
前記バンドパスフィルタ部からの出力信号を復調する復調回路部と、
前記受信信号が入力され、前記中心周波数が遮断周波数に設定されたハイパスフィルタ部およびローパスフィルタ部と、
前記ハイパスフィルタ部およびローパスフィルタ部のそれぞれの出力信号の電圧レベルを比較する比較回路部と、
前記比較回路部にて比較した結果、前記ハイパスフィルタ部からの出力信号の電圧レベルが高ければ前記中心周波数を上昇させ、前記ローパスフィルタ部からの出力信号の電圧レベルが高ければ前記中心周波数を低減させるよう前記バンドパスフィルタ部を調整する調整回路部とを備えた受信素子。
【請求項２】
前記ハイパスフィルタ部およびローパスフィルタ部は、前記調整回路部からの出力信号により遮断周波数が調整可能に形成されている請求項１記載の受信素子。
【請求項３】
前記ハイパスフィルタ部およびローパスフィルタ部のそれぞれと前記比較回路部との間に、前記ハイパスフィルタ部およびローパスフィルタ部からのそれぞれの出力信号の状態を保持する保持回路部が設けられている請求項１または２記載の受信素子。
【請求項４】
前記比較回路部と前記調整回路部との間に、前記比較回路部からの出力信号の状態を保持する保持回路部が設けられている請求項１記載の受信素子。
【発明の詳細な説明】
【技術分野】
【０００１】
本発明は、搬送波に重畳されたコード信号を取り出す受信素子に関する。
【背景技術】
【０００２】
テレビを離れた場所から操作するときにはリモコンが用いられる。リモコンは、３０ＫＨｚから４０ＫＨｚの搬送波にコード信号を重畳させた光信号をテレビに向けて送信する。テレビは、内蔵した受信回路が変調された光信号からコード信号を取り出し、コード信号に応じて、電源の制御や、チャンネルの切り換え、音量の増減などを行う。このような変調された光信号を復調してコード信号を取り出す受信回路の一例が、特許文献１に受信回路チップとして記載されている。
【０００３】
この受信回路チップ２３は、集積回路化されたもので、図６に示すように、外付けのフォトダイオード２２にて受信した光信号を復調して出力信号ＲＸＯＵＴを出力するものである。
【０００４】
受信回路チップ２３は、光電流信号を順次増幅する初段アンプ２４、２段目アンプ２５および３段目アンプ２６と、受信信号からキャリア成分を抽出するバンドパスフィルタ２７と、検波する検波回路２８と、検波結果に対応して積分動作を行う積分回路２９と、積分出力をレベル弁別するヒステリシスコンパレータ３０と、バンドパスフィルタ２７の中心周波数を制御するバイアス電流を調整するｆ0トリミング回路３４とを備えている。
【０００５】
この受信回路チップ２３は、バンドパスフィルタ２７へのバイアス電流を積分回路２９へも供給し、共通して用いることで、積分回路２９の立上がり時間が安定し、コンパレータ３０での弁別エラーを低減し、ノイズに対する誤動作を低減している。
【特許文献１】特開２００２−２３８０８７号公報
【発明の開示】
【発明が解決しようとする課題】
【０００６】
しかし、この受信回路チップ２３は、ｆ0トリミング回路３４から引き出された端子ＴＲＭ１〜ＴＲＭ５間のツェナダイオードにパルス電流を印加して該ツェナダイオードをトリミングさせるなど、バンドパスフィルタ２７の中心周波数の調整が必要である。
【０００７】
これは、受信回路チップ２３を製作する際のプロセス条件などによって、バンドパスフィルタ２７の中心周波数と搬送波の周波数との間にずれが生じるためで、最大の感度を得るためにはバンドパスフィルタ２７の中心周波数を搬送波の周波数に合致させる必要があるからである。
【０００８】
従って、テレビなどに組み込む際には、バンドパスフィルタ２７の中心周波数を調整するための調整工程などの手作業が必要となるので、手間を要してしまう。
【０００９】
そこで本発明は、バンドパスフィルタの中心周波数の調整を不要とすることで、煩雑な調整工程を省略することができる受信素子を提供することを目的とする。
【課題を解決するための手段】
【００１０】
本発明の受信素子は、変調された受信信号を復調する集積化された受信素子であって、前記受信信号の搬送波近傍の周波数帯域を通過させる中心周波数を有し、前記中心周波数が調整可能なバンドパスフィルタ部と、前記バンドパスフィルタ部からの出力信号を復調する復調回路部と、前記受信信号が入力され、前記中心周波数が遮断周波数に設定されたハイパスフィルタ部およびローパスフィルタ部と、前記ハイパスフィルタ部およびローパスフィルタ部のそれぞれの出力信号の電圧レベルを比較する比較回路部と、前記比較回路部にて比較した結果、前記ハイパスフィルタ部からの出力信号の電圧レベルが高ければ前記中心周波数を上昇させ、前記ローパスフィルタ部からの出力信号の電圧レベルが高ければ前記中心周波数を低減させるよう前記バンドパスフィルタ部を調整する調整回路部とを備えたことを特徴とする。
【発明の効果】
【００１１】
本発明は、ハイパスフィルタ部からの出力信号がローパスフィルタ部からの出力信号よりも電圧レベルが高いときには、調整回路部によりバンドパスフィルタ部の中心周波数を低減させ、ハイパスフィルタ部からの出力信号がローパスフィルタ部からの出力信号よりも電圧レベルが低いときには、調整回路部によりバンドパスフィルタ部の中心周波数を上昇させることにより、バンドパスフィルタ部の中心周波数のずれを人の介在なしに自動的に調整することができるので、手作業で調整を行う調整工程を省略することができる。
【発明を実施するための最良の形態】
【００１２】
本願の第１の発明は、変調された受信信号を復調する集積化された受信素子であって、受信信号の搬送波近傍の周波数帯域を通過させる中心周波数を有し、中心周波数が調整可能なバンドパスフィルタ部と、バンドパスフィルタ部からの出力信号を復調する復調回路部と、受信信号が入力され、中心周波数が遮断周波数に設定されたハイパスフィルタ部およびローパスフィルタ部と、ハイパスフィルタ部およびローパスフィルタ部のそれぞれの出力信号の電圧レベルを比較する比較回路部と、比較回路部にて比較した結果、ハイパスフィルタ部からの出力信号の電圧レベルが高ければ中心周波数を上昇させ、ローパスフィルタ部からの出力信号の電圧レベルが高ければ中心周波数を低減させるようバンドパスフィルタ部を調整する調整回路部とを備えたことを特徴としたものである。
【００１３】
本発明の受信素子は、バンドパスフィルタ部の中心周波数のずれを、受信信号が通過したローパスフィルタ部およびハイパスフィルタ部のそれぞれの出力を比較することで調整するものである。まず、変調された受信信号を入力すると、バンドパスフィルタ部が受信信号の搬送波近傍の周波数帯域のみを通過させる。そして、復調回路部が変調された受信信号を復調する。ここで、バンドパスフィルタ部の中心周波数が搬送波の周波数からずれていたとする。集積化された受信素子は、バンドパスフィルタ部の中心周波数がずれるときは、同じようにローパスフィルタ部およびハイパスフィルタ部も同様に遮断周波数がずれる。つまり、ハイパスフィルタ部からの出力信号がローパスフィルタ部からの出力信号よりも電圧レベルが高いということは、バンドパスフィルタ部の中心周波数が高い方にずれているので、調整回路部により中心周波数を低減させる。また、ハイパスフィルタ部からの出力信号がローパスフィルタ部からの出力信号よりも電圧レベルが低いということは、バンドパスフィルタ部の中心周波数が低い方にずれているので、調整回路部により中心周波数を上昇させる。そうすることで、バンドパスフィルタ部の中心周波数のずれを人の介在なしに自動的に調整することができるので、手作業で調整を行う調整工程を省略することができる。
【００１４】
本願の第２の発明は、第１の発明において、ハイパスフィルタ部およびローパスフィルタ部は、調整回路部からの出力信号により遮断周波数が調整可能に形成されていることを特徴としたものである。
【００１５】
調整回路部によりバンドパスフィルタ部の中心周波数を調整しても、ハイパスフィルタ部とローパスフィルタ部との遮断周波数がずれたままの状態であると、バンドパスフィルタ部の中心周波数を更に移動させてしまう。従って、第２の発明においては、ハイパスフィルタ部およびローパスフィルタ部の遮断周波数を、調整回路部からの出力信号により調整しているので、バンドパスフィルタ部への過度の調整を防止することができる。
【００１６】
本願の第３の発明は、第１または第２の発明において、ハイパスフィルタ部およびローパスフィルタ部のそれぞれと比較回路部との間に、ハイパスフィルタ部およびローパスフィルタ部からのそれぞれの出力信号の状態を保持する保持回路部が設けられていることを特徴としたものである。
【００１７】
ハイパスフィルタ部およびローパスフィルタ部からの出力信号に応じてバンドパスフィルタ部の中心周波数を調整していると、突発的なノイズの発生でも反応してしまうおそれがある。第３の発明においては、ハイパスフィルタ部およびローパスフィルタ部からのそれぞれの出力信号の状態を保持する保持回路部が設けられ、保持回路部により保持された信号に基づいて比較回路部が比較することで、ノイズが突発的に発生しても比較回路部への影響を低減することができる。
【００１８】
本願の第４の発明は、第１または第２の発明において、比較回路部と調整回路部との間に、比較回路部からの出力信号の状態を保持する保持回路部が設けられていることを特徴としたものである。
【００１９】
第４の発明においては、比較回路部と調整回路部との間に、比較回路部からの出力信号の状態を保持する保持回路部が設けられていても、第３の発明と同様に、保持回路部により保持された信号に基づいて比較回路部が比較することで、ノイズが突発的に発生しても比較回路部への影響を低減することができる。
【００２０】
（実施の形態）
本発明の実施の形態に係る受信回路を、図面に基づいて説明する。図１は、本発明の実施の形態に係る受信回路を示す図である。
【００２１】
図１に示すように、受信回路１は、変調された受信信号を復調するもので、例えばテレビや、コンポと呼ばれるステレオ、ＣＤプレーヤなどのリモコンからの光信号によって操作されるものに内蔵される。受信回路１は、受光素子２と、受信素子３とを備えている。
【００２２】
受光素子２は、リモコンから送信される搬送波にコード信号を重畳させた赤外光を光信号として受信し、この光信号の強度に応じた電流信号を流すものである。受光素子２としてはフォトダイオードが使用できる。受光素子２は、アノードがグランド端子ＧＮＤに接続され、カソードが受信素子３の信号入力端子ＩＮに接続されている。
【００２３】
受信素子３は、モノリシックに集積化されたＩＣチップである。
【００２４】
受信素子３は、増幅部３ａと、バンドパスフィルタ（以下、ＢＰＦと称す。）部３ｂと、復調回路部３ｃと、調整制御部３ｄとを備えている。
【００２５】
増幅部３ａは、ＩＶアンプ３ａｘと、カップリングコンデンサ３ａｙと、ＡＣアンプ３ａｚとを備えている。ＩＶアンプ３ａｘは、信号入力端子ＩＮに接続され、入力した電流信号を電圧信号に変換するアンプである。カップリングコンデンサ３ａｙは、ＩＶアンプ３ａｘに接続され、変換された電圧信号から直流成分を除去する。ＡＣアンプ３ａｚは、カップリングコンデンサ３ａｙに接続され、直流成分が除去された電圧信号を増幅して受信信号として出力するアンプである。
【００２６】
ＢＰＦ部３ｂは、搬送波の周波数を中心周波数とすることで、搬送波近傍の周波数帯域を通過させる帯域通過濾波器である。このＢＰＦ部３ｂは、調整制御部３ｄからのバイアス電流に応じて中心周波数を変更することができる。
【００２７】
復調回路部３ｃは、特許文献１に記載の検波回路、積分回路、ヒステリシスコンパレータと同様に構成されているもので、検波回路部３ｃｘと、積分回路部３ｃｙと、弁別出力回路部３ｃｚとを備えている。検波回路部３ｃｘは、ＢＰＦ部３ｂに接続され、変調された信号を検波する。積分回路部３ｃｙは、検波回路部３ｃｘに接続され、検波された信号を積分することで信号を平滑する。弁別出力回路部３ｃｚは、積分回路部３ｃｙに接続され、入力した信号と基準電圧とを比較することで、アナログ信号をデジタル信号に変換した結果をＨ／Ｌレベル信号として出力するヒステリシスコンパレータである。
【００２８】
調整制御部３ｄは、ＡＣアンプ３ａｚからの信号に応じてＢＰＦ部３ｂの中心周波数ｆ0を調整するものである。調整制御部３ｄは、ハイパスフィルタ（以下、ＨＰＦと称す。）部３ｄｕと、ＨＰＦ側サンプルホールド部３ｄｖと、ローパスフィルタ（以下、ＬＰＦと称す。）部３ｄｗと、ＬＰＦ側サンプルホールド部３ｄｘと、比較回路部３ｄｙと、バイアス回路部３ｄｚとを備えている。
【００２９】
ＨＰＦ部３ｄｕは、搬送波の周波数を遮断周波数（カットオフ周波数）に設定された高域通過濾波器である。このＨＰＦ部３ｄｕは、ＢＰＦ部３ｂと同様に、遮断周波数が調整可能に形成されている。
【００３０】
ＬＰＦ部３ｄｗは、搬送波の周波数を遮断周波数に設定された低域通過濾波器である。このＬＰＦ部３ｄｗも、ＢＰＦ部３ｂおよびＨＰＦ部３ｄｕと同様に、遮断周波数が調整可能に形成されている。
【００３１】
ＨＰＦ側サンプルホールド部３ｄｖは、ＨＰＦ部３ｄｕに接続され、ＨＰＦ部３ｄｕからの出力信号を一時的に保持する。ＬＰＦ側サンプルホールド部３ｄｘは、ＬＰＦ部３ｄｗに接続され、ＬＰＦ部３ｄｗからの出力信号を一時的に保持する。
【００３２】
比較回路部３ｄｙは、ＨＰＦ側サンプルホールド部３ｄｖに負入力端子が接続され、ＬＰＦ側サンプルホールド部３ｄｘに正入力端子が接続された引き算回路として機能するオペアンプである。
【００３３】
バイアス回路部３ｄｚは、入力が比較回路部３ｄｙに接続され、出力がＢＰＦ部３ｂとＨＰＦ部３ｄｕとＬＰＦ部３ｄｗとに接続されている。バイアス回路部３ｄｚは、比較回路部３ｄｙからの比較結果に基づいて、ＢＰＦ部３ｂの中心周波数とＨＰＦ部３ｄｕおよびＬＰＦ部３ｄｗの遮断周波数とを調整する調整回路部として機能する。
【００３４】
以上のように構成された本発明の実施の形態に係る受信回路の動作を、図面に基づいて説明する。図２は、バンドパスフィルタ部の中心周波数が搬送波の中心周波数と合致している状態を説明するための図である。図３は、バンドパスフィルタ部の中心周波数が搬送波の中心周波数より低い状態を説明するための図である。図４は、バンドパスフィルタ部の中心周波数が搬送波の中心周波数より高い状態を説明するための図である。
【００３５】
変調された光信号を受信した受光素子２は、光信号の強度に応じた電流信号がカソード側（信号入力端子ＩＮ）からアノード側に向かって流れる。受信信号が電流信号として入力された受信素子３は、まず、最初のＩＶアンプ３ａｘにより電圧信号に変換される。この電圧信号には蛍光灯などの光が直流成分として重畳しているので、カップリングコンデンサ３ａｙにより直流成分が除去される。直流成分が除去された電圧信号は、ＡＣアンプ３ａｚにより増幅されて、ＢＰＦ部３ｂとＨＰＦ部３ｄｕとＬＰＦ部３ｄｗとに出力される。
【００３６】
ここで、ＢＰＦ部３ｂは、その中心周波数がＨＰＦ部３ｄｕおよびＬＰＦ部３ｄｗの遮断周波数と合致していると共に、受信信号の搬送波の周波数ｆ0とも合致していたとする。その場合には、図２に示すように、ＨＰＦ部３ｄｕおよびＬＰＦ部３ｄｗの出力信号は同じレベルとなる。従って、ＨＰＦ部３ｄｕおよびＬＰＦ部３ｄｗのそれぞれの出力信号は、ＨＰＦ側サンプルホールド部３ｄｖおよびＬＰＦ側サンプルホールド部３ｄｘに保持された状態で比較回路部３ｄｙに出力されるので、比較回路部３ｄｙの出力電圧は、一致を示す０Ｖとなる。
【００３７】
比較回路部３ｄｙの出力電圧が０Ｖとなることで、バイアス回路部３ｄｚはＢＰＦ部３ｂの中心周波数を補正しない。従って、ＢＰＦ部３ｂは、搬送波近傍の周波数帯域をそのまま通過させて復調回路部３ｃへ出力する。
【００３８】
復調回路部３ｃは、検波回路部３ｃｘ、積分回路部３ｃｙおよび弁別出力回路部３ｃｚによりＢＰＦ部３ｂを通過した信号を復調して搬送波に重畳されたコード信号を取り出し、信号出力端子ＯＵＴから出力する。
【００３９】
この状態では、ＢＰＦ部３ｂの中心周波数と、搬送波の周波数ｆ0とが一致しているため、最大の感度を得ることができる。
【００４０】
次に、ＢＰＦ部３ｂの中心周波数と、ＨＰＦ部３ｄｕおよびＬＰＦ部３ｄｗの遮断周波数とが、搬送波の周波数より高周波側である場合を説明する。これは、ＢＰＦ部３ｂの中心周波数が搬送波の周波数ｆ0となるように設計されているが、受信素子３を製作する際のプロセス条件などによっては、ずれが生じることがある。受信素子３は、モノリシックに集積化されたものなので、ＢＰＦ部３ｂがずれる度合いと同じ度合いでＨＰＦ部３ｄｕおよびＬＰＦ部３ｄｗの遮断周波数もずれる。
【００４１】
つまり、図３に示すように、ＨＰＦ部３ｄｕでは受信信号を減衰させることなく通過させるが、ＬＰＦ部３ｄｗでは受信信号が遮断周波数より高周波側に位置するので、大きく減衰させてしまい、ＢＰＦ部３ｂでは中心周波数が搬送波の周波数ｆ0より高い周波数側にずれているため、受信信号の感度が低下してしまう。
【００４２】
従って、ＨＰＦ側サンプルホールド部３ｄｖおよびＬＰＦ側サンプルホールド部３ｄｘのそれぞれに保持された信号の電圧レベルを比較する比較回路部３ｄｙの出力は、ＨＰＦ部３ｄｕからの信号の方が電圧レベルが高いことを示す出力となる。
【００４３】
この比較回路部３ｄｙからの出力を受けてバイアス回路部３ｄｚは、ＢＰＦ部３ｂの中心周波数を低い方へ補正する。同時に、比較回路部３ｄｙからの出力により、ＨＰＦ部３ｄｕおよびＬＰＦ部３ｄｗの遮断周波数も低い方へ補正し、搬送波の周波数ｆ0と合致させる。遮断周波数が搬送波の周波数ｆ0と合致することで、比較回路部３ｄｙの出力は一致したことを示す０Ｖとなるので、バイアス回路部３ｄｚはＢＰＦ部３ｂの中心周波数を過度に調整することがない。このように、ＢＰＦ部３ｂの中心周波数を低い方へ補正し、ＨＰＦ部３ｄｕおよびＬＰＦ部３ｄｗの遮断周波数を低い方へ補正することで、搬送波の周波数ｆ0とＢＰＦの中心周波数とを、図２に示すような最大感度が得られる状態とすることができる。
【００４４】
そして、ＨＰＦ側サンプルホールド部３ｄｖおよびＬＰＦ側サンプルホールド部３ｄｘの保持の状態が解除される度に、前記したようなＢＰＦ部３ｂの中心周波数の調整が繰り返されることで、受信信号を最良の状態で受信し続けることができる。
【００４５】
次に、ＢＰＦ部３ｂの中心周波数と、ＨＰＦ部３ｄｕおよびＬＰＦ部３ｄｗの遮断周波数とが、搬送波の周波数より低周波側である場合を説明する。
【００４６】
この場合には、図４に示すように、ＬＰＦ部３ｄｗでは受信信号を減衰させることなく通過させるが、ＨＰＦ部３ｄｕでは受信信号が遮断周波数より低周波側に位置するので、大きく減衰させてしまい、ＢＰＦ部３ｂでは、中心周波数が搬送波の周波数ｆ0より低い周波数側にずれているため、受信信号の感度がやはり低下してしまう。
【００４７】
従って、ＨＰＦ側サンプルホールド部３ｄｖおよびＬＰＦ側サンプルホールド部３ｄｘのそれぞれに保持された信号の電圧レベルを比較する比較回路部３ｄｙの出力は、ＬＰＦ部３ｄｗからの信号の方が電圧レベルが高いことを示す出力となる。
【００４８】
この比較回路部３ｄｙからの出力を受けてバイアス回路部３ｄｚは、ＢＰＦ部３ｂの中心周波数を高い方へ補正する。同時に、比較回路部３ｄｙからの出力により、ＨＰＦ部３ｄｕおよびＬＰＦ部３ｄｗの遮断周波数も高い方へ補正し、搬送波の周波数ｆ0と合致させる。そうすることで、中心周波数および遮断周波数が高い方へずれた場合と同様に、図２に示すような最大感度が得られる状態とすることができる。
【００４９】
本実施の形態では、ＨＰＦ側サンプルホールド部３ｄｖおよびＬＰＦ側サンプルホールド部３ｄｘによって、ＨＰＦ部３ｄｕとＬＰＦ部３ｄｗとの出力を一時的に保持しているが、最初の受信信号の状態を保持してＢＰＦ部３ｂの調整が行われた後に、受信回路１の電源が切断されるまで保持し続けるようにしてもよい。それは、ＢＰＦ部３ｂの中心周波数のずれは動作中に変化することはないので、一度、ＢＰＦ部３ｂの中心周波数の調整が完了すれば、再調整は不要だからである。従って、ＨＰＦ側サンプルホールド部３ｄｖおよびＬＰＦ側サンプルホールド部３ｄｘを、ＨＰＦ部３ｄｕとＬＰＦ部３ｄｗとの出力を保持し続けるようにすれば、ＨＰＦ部３ｄｕとＬＰＦ部３ｄｗをバイアス回路部３ｄｚによる調整も不要となるので、ＨＰＦ部３ｄｕとＬＰＦ部３ｄｗを、調整が不可能なフィルタで形成しても問題はない。
【００５０】
また、本実施の形態では、受信信号を受信する度に、ＨＰＦ部３ｄｕとＬＰＦ部３ｄｗとからの信号を動的に比較してバイアス回路部３ｄｚによる調整をすれば、ＨＰＦ側サンプルホールド部３ｄｖおよびＬＰＦ側サンプルホールド部３ｄｘを省略することも可能である。しかし、搬送波の周波数から大きく外れた突発的なノイズを受信することで、ＨＰＦ部３ｄｕまたはＬＰＦ部３ｄｗのいずれかから偏った出力が発生することで、比較回路部３ｄｙから調整の指示が出力されてしまうおそれがある。そうなると、ＢＰＦ部３ｂの中心周波数が余計にずれてしまう。ＨＰＦ側サンプルホールド部３ｄｖおよびＬＰＦ側サンプルホールド部３ｄｘを設けると、ＨＰＦ部３ｄｕとＬＰＦ部３ｄｗからの信号を一時的に保持した状態のときにノイズが発生しても、比較回路部３ｄｙは影響を受けることがない。従って、確率的ではあるが、ノイズによる影響を抑止するためにも、ＨＰＦ側サンプルホールド部３ｄｖおよびＬＰＦ側サンプルホールド部３ｄｘを設けるのが望ましい。
【００５１】
なお、本実施の形態では、ＨＰＦ側サンプルホールド部３ｄｖおよびＬＰＦ側サンプルホールド部３ｄｘを、ＨＰＦ部３ｄｕおよびＬＰＦ部３ｄｗと比較回路部３ｄｙとの間に設けているが、図５に示す変形例の、受信回路１０では、比較回路部３ｄｙとバイアス回路部３ｄｚとの間に１つのサンプルホールド部３ｄａを設けている。サンプルホールド部３ｄａを１つとすることで、回路規模を低減することができる。
【００５２】
このように、ＢＰＦ部３ｂの中心周波数のずれを人の介在なしに自動的に調整することができるので、受信素子２を樹脂パッケージに組立する前または組立するときの調整工程を省略することができる。
【００５３】
また、受信素子３では、ＢＰＦ部３ｂの中心周波数のずれを人の介在なしに自動的に調整することが可能なので、特許文献１に記載の受信回路チップのように、端子ＴＲＭ１〜ＴＲＭ５が不要である。従って、本実施の形態に係る受信素子３は、受信素子としての回路自体の大きさおよびパッケージの大きさを小さいものとすることができる。
【００５４】
なお、本実施の形態では、光信号を受信する受信素子３を例に説明したが、無線信号を電気信号に変換する無線部からの信号を変調する受信素子であってもよい。
【産業上の利用可能性】
【００５５】
本発明は、バンドパスフィルタの中心周波数の調整を不要とすることで、煩雑な調整工程を省略することができるので、搬送波に重畳されたコード信号を取り出す受信素子に好適である。
【図面の簡単な説明】
【００５６】
【図１】本発明の実施の形態に係る受信回路を示す図
【図２】バンドパスフィルタ部の中心周波数が搬送波の中心周波数と合致している状態を説明するための図
【図３】バンドパスフィルタ部の中心周波数が搬送波の中心周波数より低い状態を説明するための図
【図４】バンドパスフィルタ部の中心周波数が搬送波の中心周波数より高い状態を説明するための図
【図５】本実施の形態に係る受信素子の変形例を示す図
【図６】従来の受信素子を示す図
【符号の説明】
【００５７】
１，１０  受信回路
２  受光素子
３  受信素子
３ａ  増幅部
３ａｘ  ＩＶアンプ
３ａｙ  カップリングコンデンサ
３ａｚ  ＡＣアンプ
３ｂ  バンドパスフィルタ（ＢＰＦ）部
３ｃ  復調回路部
３ｃｘ  検波回路部
３ｃｙ  積分回路部
３ｃｚ  弁別出力回路部
３ｄ  調整制御部
３ｄａ  サンプルホールド部
３ｄｕ  ハイパスフィルタ（ＨＰＦ）部
３ｄｖ  ＨＰＦ側サンプルホールド部
３ｄｗ  ローパスフィルタ（ＬＰＦ）部
３ｄｘ  ＬＰＦ側サンプルホールド部
３ｄｙ  比較回路部
３ｄｚ  バイアス回路部
ＩＮ  信号入力端子
ＯＵＴ  信号出力端子
【図１】
2009278398.tif 000003
【図２】
2009278398.tif 000004
【図３】
2009278398.tif 000005
【図４】
2009278398.tif 000006
【図５】
2009278398.tif 000007
【図６】
2009278398.tif 000008